(57)【特許請求の範囲】
【請求項１】
農作物を掘り起こす掘起し部（１）と、掘起し部（１）を牽引車に連結する連結部（２）とを備え、掘起し部（１）は地面に差し込まれて農作物を掘り起こす差込み部（３）の進行方向後方に、差込み部（３）で掘起された農作物が乗り上げる支持部（４）が設けられ、支持部（４）は複数本の細長材（５）が差込み部（３）の幅方向に間隔をあけて設けられ、細長材（５）の間に補助支持材（６）が着脱可能であり、支持部（４）の幅方向両端に側壁（７）が立ち上げられ、連結部（２）は掘起し部（１）の幅方向両側の縦向きの縦アーム（８）と、一端が縦アーム（８）に連結可能で、他端が牽引車に連結可能な横アーム（９）とを備えたことを特徴とする掘取機。
【請求項２】
請求項１記載の掘取機において、補助支持材（６）は複数本の細長の補助材（１０）が間隔をあけて連結されて、補助材（１０）の間隔は各補助材（１０）が支持部（４）の細長材（５）の間に配置される間隔であることを特徴とする掘取機。
【請求項３】
請求項１又は請求項２記載の掘取機において、連結部（２）の横アーム（９）が長さ調節可能であることを特徴とする掘取機。
【発明の詳細な説明】
【０００１】
【発明の属する技術分野】
本発明は畑や田等に栽培される玉ねぎ、ねぎ、じゃがいも等の農作物を掘り起こす掘取機に関するものであり、トラクター等の走行自在な牽引車に連結して使用されるものである。
【０００２】
【従来の技術】
トラクター等の牽引車に連結し、走行車の走行により牽引して、畑や田等に栽培されている農作物を掘り起こす掘取機は従来より各種ある。掘取機で掘り起こされた農作物は、作業者により回収される。
【０００３】
【発明が解決しようとする課題】
従来の掘取機は、人力で掘る場合に比べると作業能率が良く、大幅な省力化が達成されている。しかし、従来の掘取機は、一台で、一種類の農作物を掘り起こすのに適した構造になっているため、掘り起こす農作物が数種類ある場合は、その種類別に掘取機を用意して、掘り起こす農作物に合わせてトラクター等の牽引車に付け替えなければならないという面倒があった。
【０００４】
【課題を解決するための手段】
本発明は玉ねぎ、ねぎ、じゃがいも等の数種類の農作物を、一台の掘取機で掘り起こし可能な掘取機を提供することにある。
【０００５】
本件発明の第１の掘取機は、農作物を掘り起こす掘起し部１と、掘起し部１を牽引車に連結する連結部２とを備えている。掘起し部１は農作物が栽培されている地面に差込まれて植物を掘り起こす差込み部３の後方に、差込み部３で掘起された農作物を支持する支持部４が設けられている。支持部４は複数本の細長材５が差込み部３の幅方向に間隔をあけて設けられている。細長材５の間には細長の補助支持材６を着脱可能としてある。支持部４の幅方向両端に側壁７を縦向きに立ち上げてある。連結部２は掘起し部１の幅方向両側に縦向きに装着された縦アーム８と、一端が縦アーム８に連結され、他端が牽引車に連結される横アーム９とを備えている。
【０００６】
本件発明の第２の掘取機は、前記掘取機において、補助支持材６が、複数本の細長の補助材１０を間隔をあけて連結して、各補助材１０が支持部４の細長材５の間に配置されるようにしてある。
【０００７】
本件発明の第３の掘取機は、前記掘取機において、連結部２の横アーム９が長さ調節可能である。
【０００８】
【発明の実施の形態】
本発明の掘取機は、図１に示すように、トラクターとか他の走行車といった牽引車Ａに連結して使用されるものであり、農作物を掘り起こす掘起し部１と、掘起し部１を牽引車Ａに連結するための連結部２とを備えている。
【０００９】
掘起し部１は地面に差込み可能な差込み部３に、差込み部３で掘起された農作物が乗り上げる支持部４が設けられている。差込み部３は図３、図４のように、走行方向先端中央部が先細りになったほぼ三角形の板状に形成され、それに細長の嵌合孔１１が一定間隔で形成されている。差込み部３は上向きコ字状の受け材１２にビス１３とナット１４とにより固定されている。差込み部３の寸法は掘り起こす畝の幅や農作物の種類等に合わせて任意に選択することができる。
【００１０】
支持部４は図４のように、複数本の板状の細長材５の先端部１５を受け材１２に溶接により固定して、受け材１２の幅方向に間隔をあけて取り付けると共に、後方部１６を受け材１２の後方に突出させてある。この場合、細長材５を差込み部３の嵌合孔１１の内側に配置して、細長材５の間に一定の空間をあけてある。細長材５は板以外の形状や構造であってもよく、例えば丸パイプ、角パイプ等とすることもできる。その取り付けも溶接に限定されず、ビスとナットによる固定とか、他の方法による固定でもよい。
【００１１】
図４の細長材５の間には、図５の補助支持材６を図３のように着脱することができる。補助支持材６を取り付けることにより細長材５の間の空間を狭くして、支持材４、補助支持材６の上に乗りあげた農作物が、それらの間の空間から落下しないようにするためのものである。
【００１２】
補助支持材６は図５に示すように、横長の前材２０と横長の後材２１との間に丸棒状の細長の補助材１０が一定間隔で取り付けられている。各補助材１０は後方部２２が後材２１の上に溶接され、下向きＬ字状に曲げられた先端部２３が前材２０の孔２４に差し込まれている。この補助支持材６は、複数本の細長材５の下にあてがって、前材２０と後材２１とをビス２５とナット２６とにより細長材５に取り付けることができる。逆に、ナット２６を緩めてビス２５とナット２６との連結を取り外すことにより細長材５から取り外すことができる。細長の補助材１０の長さは細長材５の長さよりも短くしてあるが、それより長くすることも短くすることもできる。細長の補助材１０も丸棒以外の形状や構造であってもよく、例えば丸パイプ、角パイプ、角棒等とすることもできる。その取り付けも溶接に限定されず、ビス止めとか、他の方法でもよい。
【００１３】
図３のように、支持部４の幅方向両端に取り付けられた側壁７は、差込み部３により掘り起こされて支持部４、補助支持材６の上に乗りあげた農作物が、支持部４、補助支持材６の横から落下しないようにするためのものである。側壁７には図６に示すように板材が使用され、それを受け材１２の内面にボルト３０、ナット３１により縦向きに取り付けて、支持部４、補助支持材６よりも上方に立ち上げてある。また、側壁７は後方部３２を内側に曲げて、支持部４、補助支持材６の上に乗りあげた農作物が、それらの進行により次第に、支持部４、補助支持材６の幅方向内側に寄せられるようにしてある。側壁７の底面には前材２０の上に被さる前切り込み３３、後材２１及び細長材５の上に被さる後切り込み３４が形成されている。
【００１４】
図３の連結部２は掘起し部１を図１のように牽引車に連結するためのものであり、受け材１２の外側に取付けて立上げた縦アーム８と、一端が縦アーム８に連結され、他端が牽引車に連結される横アーム９とを備えている。縦アーム８には細長の板材が使用され、その下部が、側壁７と共に、受け材１２にボルト３０とナット３１により取り付けられ、上部に複数の取付け穴３５があけられている。取付け穴３５の数は任意に選択することができる。取付け穴３５の間隔は均等でも、不均等でもよい。
【００１５】
横アーム９は図７〜図９のように、縦アーム８に取り付ける基本アーム３６と、基本アーム３６に差し込んでその軸線上に取り付ける連結アーム３７と、連結アーム３７に被せる延長アーム３８と、延長アーム３８にその斜め前方に突出するように取り付けられる補助アーム３９とから構成されている。これらアーム３６、３７、３８、３９の夫々は筒状であり、基本アーム３６の一端に取り付けられているブラケット４０、４１を縦アーム８の取付け穴３５にボルト４２とナット４３により連結されている。連結アーム３７には図８のように連結孔４４が多数あけられており、連結アーム３７に被せた延長アーム３８の止め孔４５をどの連結孔４４に位置合わせするかにより、横アーム９の長さを調節することができるようにしてある。この長さ調節は畑の畝の間隔、掘り起こす農作物の種類等に応じて行う。
【００１６】
図８の延長アーム３８は、位置合わせされた止め孔４５から連結孔４４にボルト４６を差込んで、延長アーム３８の下から突出するボルト４６の下端部にナットを螺合して止めるとか、ボルト４６の代わりに丸パイプや丸棒等の細長の止め具を差込み、延長アーム３８の下から突出する止め具の下端部に開口されている通孔にピンを差込んで止める等する。図９の補助アーム３９はその一端のブラケット４７を延長アーム３８のブラケット４８に、ボルト４９とナット５０により連結されて、先端側がやや前下がりになっている。
【００１７】
縦アーム８と基本アーム３６との連結、基本アーム３６と延長アーム３８との連結、延長アーム３８と補助アーム３９との連結等は溶接により行うこともできる。基本アーム３６、連結アーム３７、延長アーム３８、補助アーム３９等の形状、構造、サイズ等はその強度とか、連結する牽引車の取り付け部の構造、形状、位置、サイズ等に合わせて選択することができる。
【００１８】
基本アーム３６の連結用ブラケット４０は、縦アーム８にあけられている複数の取付け穴３５のうちの所望の取付け穴に取り付ける。取付け穴を変えることによって掘起し部１の高さを上下に調節することができ、この高さ調節により、畝の高さ、農作物が成育している土中の深さ等に合わせることができる。掘起し部１の高さを変えることによって、一つの掘取機でいろいろな種類の農作物用に兼用にして使用することができる。
【００１９】
図１の掘起し部１は図２のように差込み部３を前下がりに傾斜させて、地中に差込まれ易くすると共に農作物を掘り起こし易くするのが望ましい。そのために本発明では角度調節機構を設けてある。角度調節機構としては種々考えられるが、例えば、図５のように、受け材１２の下端にあけられた上下の取付け穴のうち、一方を真円孔６０、他方を横細長の円弧状孔６１とし、真円孔６０と円弧状孔６１とに図８のようにボルトを差込み、そのボルトを回転軸として回動させて掘起し部１を所望角度の前下がりに調節してから、両ボルトに螺合してあるナットを締め付けて、掘起し部１を受け材１２に固定することによって角度を調節することができる。角度調節機構はこれ以外の任意の箇所に設けたり、他の構造とすることもできる。例えば、基本アーム３６のブラケット４０への縦アーム８の取り付けを、差込み部３が前下がりになるように取付ける等して行うこともできる。
【００２０】
（使用説明）
本件発明の掘取機を走行機に取付けて使用するには次の様にする。
（１）図１のように、延長アーム３８の先端のブラケット５５と、補助アーム３９のブラケット５６を牽引車Ａに取り付けて掘起し部１を牽引車Ａに連結する。この場合、図２のように差込み部３を前下がりに傾斜させる。
（２）掘り起こす農作物の種類に合わせて、図５の補助支持材６を取り付けたり、取り外したりする。玉ねぎ、じゃがいも、さつまいも等のように、支持部４の細長材５の空間（隙間）から落下しない幅の農作物を掘る場合は補助支持材６を取り外し、ねぎ、ごぼう等の様に支持部４の細長材５の空間から落下する細いものの場合は補助支持材６を取り付けて、細長材５の間の空間を狭くして、掘り越された農作物がその空間から落下しないようにする。
（３）図１、２の牽引車を走行させて掘起し部１を牽引する。これにより、前下がり傾斜になっている差込み部３が畑の畝に食い込んで、畑に植えてある農作物が畑の土と共に掘り起こされる。
（４）掘取機の進行に伴って、掘り起こされた土と農作物が支持部４に乗り上げる。乗り上げた土は支持部４の空間から落下し、支持部４の上に残った農作物は、後から支持部４に乗り上げてくる農作物により押されて支持部４の後方出口より畑の上に押し出される。この場合、掘起し部１の両側面に側壁７が立ち上げられているため、支持部４の上の農作物は掘起し部１の両側から落下しない。また、農作物が支持部４から落ちて、走行中の掘起し部１に絡まったり、引きずられたりすることもない。
（５）畑の上に押し出された農作物は、作業者が後から回収する。
【００２１】
【発明の効果】
請求項１記載の掘取機は次のような効果がある。
１．牽引車を走行させるだけで、農作物を掘り取ることができるため、人力で掘る必要がなく、作業が容易になり、しかも作業能率が向上する。
２．補助支持材の脱着により、一つの掘取機で各種農作物を掘り起こすことができるため、収穫する農作物毎に掘取機を付け替える必要がなく、作業が容易である。また、農作物毎に異なった掘取機を用意する必要もないため、掘取機の購入、保管に余計な費用が掛からない。
３．支持部は複数本の細長材が差込み部の幅方向に間隔（隙間）をあけて設けられているため、支持部に農作物と共に乗り上げた土は細長材の隙間から自動的に落下し、支持部には農作物だけが残り、農作物が自動的に土と選別される。
４．支持部の上に残った農作物は、後から支持部に乗り上げてくる農作物により押されて、支持部の後方出口より畑の上に自動的に押し出されるため、畑に落ちた農作物の回収が容易になる。また、牽引車を連続走行させて農作物を連続的に掘り起こすことができるため作業能率も向上する。
５．掘取部の両側面に側壁が立ち上げられているため、支持部の上に乗り上げた農作物は掘取部の両側から落下せず、農作物が傷ついたり、支持部から落ちた農作物が走行中の掘取機に絡まったり、引きずられたりすることもなく、損傷しない。しかし、支持部の後方出口より畑の上に押し出された農作物は、掘取部の両側壁間の幅内で、ほぼ一列に土の上に落ちるため、回収作業が容易になる。
【００２２】
請求項２記載の掘取機は、前記掘取機において、補助支持材は複数本の細長の補助材を間隔をあけて連結して、各補助材が支持部の細長材の間に配置されるようにしてあるため、補助支持材の脱着が容易である。
【００２３】
請求項３記載の掘取機は、前記掘取機において、連結部の横アームが長さ調節可能であるため、農作物が栽培されている畝の間隔に合わせて横アームが長さを調節することができ、畝間隔に合った掘り起こし作業ができ、牽引車を運転し易くもなる。
【図面の簡単な説明】
【図１】本発明の掘取機を牽引車に取付けた状態の一例を示す概略斜視図。
【図２】本発明の掘取機が前下がり傾斜に牽引車に取付けられた状態の概略斜視図。
【図３】本発明の掘取機の一例を示す斜視図。
【図４】本発明の掘取機における掘取部の差込み部と支持部の組立て説明図。
【図５】本発明の掘取機における掘取部の差込み部と補助支持材の組立て説明図。
【図６】本発明の掘取機における掘取部の側壁の組立て説明図。
【図７】本発明の掘取機における基本アームと連結アームの組立て説明図。
【図８】本発明の掘取機における連結アームと延長アームの組立て説明図。
【図９】本発明の掘取機における延長アームと補助アームの組立て説明図。
【符号の説明】
１  掘起し部
２  連結部
３  差込み部
４  支持部
５  細長材
６  補助支持材
７  側壁
８  縦アーム
９  横アーム
１０  補助材
【図１】
0003574797.tif 000002
【図２】
0003574797.tif 000003
【図３】
0003574797.tif 000004
【図４】
0003574797.tif 000005
【図５】
0003574797.tif 000006
【図６】
0003574797.tif 000007
【図７】
0003574797.tif 000008
【図８】
0003574797.tif 000009
【図９】
0003574797.tif 000010